(57)【要約】【課題】  サスペンション装置のバネ上上下加速度に基づいて路面状態を精度良く判定する。【解決手段】  バネ上上下加速度センサで検出したサスペンション装置のバネ上上下加速度をバンドパスフィルタでフィルタリングし、０．７Ｈｚ〜１．０Ｈｚのバネ上共振周波数領域の振動の実効値と、バネ上共振周波数領域およびバネ下共振周波数領域の中間の３．０Ｈｚ〜８．０Ｈｚの中間周波数領域の振動の実効値とを算出し、（バネ上共振周波数領域の振動の実効値）／（中間周波数領域の振動の実効値）で表される比を閾値と比較することで、波状路、コブ状路、良路、簡易舗装路等を判定するので、路面状態の判定精度を高めることができる。そして判定した路面状態に応じてダンパーの減衰力を制御することで、種々の路面状態における乗り心地を両立させることができる。【選択図】        図６
2006082755.tif 000002
【特許請求の範囲】
【請求項１】
サスペンション装置のバネ上上下加速度を検出する工程と、
検出したバネ上上下加速度をフィルタリングしてバネ上共振周波数領域の振動の実効値を算出する工程と、
検出したバネ上上下加速度をフィルタリングしてバネ上共振周波数領域およびバネ下共振周波数領域の中間の中間周波数領域の振動の実効値を算出する工程と、
バネ上共振周波数領域の振動の実効値および中間周波数領域の振動の実効値を比較して路面状態を判定する工程と、
を含むことを特徴とする路面状態判定方法。
【発明の詳細な説明】
【技術分野】
【０００１】
本発明は、サスペンション装置のバネ上上下加速度に基づいて路面状態を判定する路面状態判定方法に関する。
【背景技術】
【０００２】
車輪速度から推定車体速度を減算した速度差信号をバネ上とバネ下とについてバンドパスフィルタ処理し、その結果得られたバネ上共振周波数領域の振動やバネ下共振周波数領域の振動に基づいて路面状態を判定し、判定した路面状態に応じてダンパーの減衰力を制御することで車両の乗り心地を高めるものが、下記特許文献１により公知である。
【特許文献１】特開平５−２２９３２８号公報
【発明の開示】
【発明が解決しようとする課題】
【０００３】
しかしながら上記従来のものは、バネ上共振周波数領域の振動やバネ下共振周波数領域の振動に基づいて路面状態を判定しており、その際にバネ上共振周波数領域およびバネ下共振周波数領域の中間の中間周波数領域の振動を考慮していないため、路面状態の判定精度を更に高める余地を残していた。
【０００４】
本発明は前述の事情に鑑みてなされたもので、サスペンション装置のバネ上上下加速度に基づいて路面状態を精度良く判定することを目的とする。
【課題を解決するための手段】
【０００５】
上記目的を達成するために、請求項１に記載された発明によれば、サスペンション装置のバネ上上下加速度を検出する工程と、検出したバネ上上下加速度をフィルタリングしてバネ上共振周波数領域の振動の実効値を算出する工程と、検出したバネ上上下加速度をフィルタリングしてバネ上共振周波数領域およびバネ下共振周波数領域の中間の中間周波数領域の振動の実効値を算出する工程と、バネ上共振周波数領域の振動の実効値および中間周波数領域の振動の実効値を比較して路面状態を判定する工程とを含むことを特徴とする路面状態判定方法が提案される。
【発明の効果】
【０００６】
請求項１の構成によれば、サスペンション装置のバネ上上下加速度をフィルタリングしてバネ上共振周波数領域の振動の実効値と、バネ上共振周波数領域およびバネ下共振周波数領域の中間の中間周波数領域の振動の実効値とを算出し、それらバネ上共振周波数領域の振動の実効値および中間周波数領域の振動の実効値を比較して路面状態を判定するので、路面状態の判定精度を高めることができる。
【発明を実施するための最良の形態】
【０００７】
以下、本発明の実施の形態を、添付の図面に示した本発明の実施例に基づいて説明する。
【０００８】
図１〜図７は本発明の一実施例を示すもので、図１は車両のサスペンション装置の正面図、図２は可変減衰力ダンパーの拡大断面図、図３はバネ上上下加速度からバネ上共振周波数領域、中間周波数領域およびバネ下共振周波数領域の振動の実効値を求める手法を説明する図、図４は簡易舗装路の各周波数領域での振動の実効値を示すグラフ、図５は良路の各周波数領域での振動の実効値を示すグラフ、図６は波状路、コブ状路、良路および簡易舗装路の各周波数領域での振動の実効値を示すグラフ、図７は各周波数領域でのダンパーのゲインの変化に対する上下加速度の変化を示すグラフである。
【０００９】
図１に示すように、四輪の自動車の車輪Ｗを懸架するサスペンション装置Ｓは、車体１１にナックル１２を上下動自在に支持するサスペンションアーム１３と、サスペンションアーム１３および車体１１を接続する可変減衰力のダンパー１４と、サスペンションアーム１３および車体１１を接続するコイルバネ１５とを備える。ダンパー１４の減衰力を制御する電子制御ユニットＵには、バネ上上下加速度を検出するバネ上上下加速度センサＳａからの信号と、ダンパー１４の変位（ストローク）を検出するダンパー変位センサＳｂからの信号と、車両の横加速度を検出する横加速度センサＳｃからの信号と、車両の前後加速度を検出する前後加速度センサＳｄからの信号とが入力される。
【００１０】
図２に示すように、ダンパー１４は、下端がサスペンションアーム１３に接続されたシリンダ２１と、シリンダ２１に摺動自在に嵌合するピストン２２と、ピストン２２から上方に延びてシリンダ２１の上壁を液密に貫通し、上端を車体に接続されたピストンロッド２３と、シリンダの下部に摺動自在に嵌合するフリーピストン２４とを備えており、シリンダ２１の内部にピストン２２により仕切られた上側の第１流体室２５および下側の第２流体室２６が区画されるとともに、フリーピストン２４の下部に圧縮ガスが封入されたガス室２７が区画される。
【００１１】
ピストン２２にはその上下面を連通させるように複数の流体通路２２ａ…が形成されており、これらの流体通路２２ａ…によって第１、第２流体室２５，２６が相互に連通する。第１、第２流体室２５，２６および流体通路２２ａ…に封入される磁気粘性流体は、オイルのような粘性流体に鉄粉のような磁性体微粒子を分散させたもので、磁界を加えると磁力線に沿って磁性体微粒子が整列することで粘性流体が流れ難くなり、見かけの粘性が増加する性質を有している。ピストン２２の内部にコイル２８が設けられており、電子制御ユニットＵによりコイル２８への通電が制御される。コイル２８に通電されると矢印で示すように磁束が発生し、流体通路２２ａ…を通過する磁束により磁気粘性流体の粘性が変化する。
【００１２】
ダンパー１４が収縮してシリンダ２１に対してピストン２２が下動すると、第１流体室２５の容積が増加して第２流体室２６の容積が減少するため、第２流体室２６の磁気粘性流体がピストン２２の流体通路２２ａ…を通過して第１流体室２５に流入し、逆にダンパー１４が伸長してシリンダ２１に対してピストン２２が上動すると、第２流体室２６の容積が増加して第１流体室２５の容積が減少するため、第１流体室２５の磁気粘性流体がピストン２２の流体通路２２ａ…を通過して第２流体室２６に流入し、その際に流体通路２２ａ…を通過する磁気粘性流体の粘性抵抗によりダンパー１４が減衰力を発生する。
【００１３】
このとき、コイル２８に通電して磁界を発生させると、ピストン２２の流体通路２２ａ…に存在する磁気粘性流体の見かけの粘性が増加して該流体通路２２ａを通過し難くなるため、ダンパー１４の減衰力が増加する。この減衰力の増加量は、コイル２８に供給する電流の大きさにより任意に制御することができる。
【００１４】
尚、ダンパー１４に衝撃的な圧縮荷重が加わって第２流体室２６の容積が減少するとき、ガス室２７を縮小させながらフリーピストン２４が下降することで衝撃を吸収する。またダンパー１４に衝撃的な引張荷重が加わって第２流体室２６の容積が増加するとき、ガス室２７を拡張させながらフリーピストン２４が上昇することで衝撃を吸収する。更に、ピストン２２が下降してシリンダ２１内に収納されるピストンロッド２３の容積が増加したとき、その容積の増加分を吸収するようにフリーピストン２４が下降する。
【００１５】
しかして、電子制御ユニットＵは、バネ上上下加速度センサＳａで検出したバネ上上下加速度、ダンパー変位センサＳｂで検出したダンパー変位、横加速度センサＳｃで検出した横加速度および前後加速度センサＳｄで検出した前後加速度に基づいて、各車輪Ｗ…の合計４個のダンパー１４…の減衰力を個別に制御することで、路面の凹凸を乗り越える際の車両の動揺を抑えて乗り心地を高めたり、車両の旋回時のローリングを抑えて操安性能を高めたり、車両の急加速時や急減速時のピッチングを抑えて操安性能を高めたりすることができる。
【００１６】
ところで、路面の状態に応じてダンパー１４の減衰力を制御すれば、状態の異なる複数の路面に対してそれぞれ適した制御を行って乗り心地を高めることができる。そこで本実施例ではバネ上上下加速度センサＳａで検出したバネ上上下加速度に基づいて路面状態の判定を行うようになっている。
【００１７】
図３に示すように、バネ上上下加速度センサＳａで検出したバネ上上下加速度を三つのバンドパスフィルタでフィルタリングし、特定周波数領域の振動を抽出する。第１のバンドパスフィルタは０．７Ｈｚ〜２．０Ｈｚの周波数の振動を通過させるもので、バネ上共振周波数領域の振動を検出する。第３のバンドパスフィルタは１０Ｈｚ〜２０Ｈｚの周波数の振動を通過させるもので、バネ下共振周波数領域の振動を検出する。第２のバンドパスフィルタは３．０Ｈｚ〜８．０Ｈｚの周波数の振動を通過させるもので、バネ上共振周波数領域およびバネ下共振周波数領域の中間の中間周波数領域の振動を検出する。
【００１８】
検出されたバネ上共振周波数領域、中間周波数領域およびバネ下共振周波数領域の振動は、それぞれ絶対値処理された後にローパスフィルタでフィルタリングされて実効値処理され、バネ上共振周波数領域、中間周波数領域およびバネ下共振周波数領域の振動の実効値が求められる。
【００１９】
バネ上共振周波数領域の振動はドライバーに「ふわふわ感」として感じられ、中間周波数領域の振動はドライバーに「ひょこひょこ感」として感じられ、バネ下共振周波数領域の振動はドライバーに「ぶるぶる感」として感じられるもので、いずれの乗り心地性能を損ねるものである。
【００２０】
判定すべき路面には、例えばバウンス路、スタビリティ路、良路、簡易舗装路等があり、バウンス路とはサイン波状の路面表面が連続的に続く道路を意味し、スタビリティ路とは角の取れたでこぼこのコブ状の路面表面がランダムに連なる道路を意味し、良路とは路面表面の凹凸が殆どない道路を意味し、簡易舗装路とは路面表面がでこぼこでアスファルトが崩れていたり、表面をアスファルトの塗り重ねで補修してある道路を意味する。以下、バウンス路を波状路、スタビリティ路をコブ状路と呼ぶ。
【００２１】
図４のグラフは、簡易舗装路を５０ｋｍ／ｈで走行した際の、バネ上共振周波数領域の振動の実効値Ａ、中間周波数領域の振動の実効値Ｂおよびバネ下共振周波数領域の振動の実効値Ｃを示すものである、また図５のグラフは、良路を８０ｋｍ／ｈで走行した際の、バネ上共振周波数領域の振動の実効値Ａ、中間周波数領域の振動の実効値Ｂおよびバネ下共振周波数領域の振動の実効値Ｃを示すものである、このグラフから、路面の状態に応じてバネ上共振周波数領域、中間周波数領域およびバネ下共振周波数領域の振動の実効値に特徴が現れることが分かる。
【００２２】
図６のグラフは、波状路、コブ状路、良路および簡易舗装路に関して、バネ上共振周波数領域、中間周波数領域およびバネ下共振周波数領域の振動の実効値の典型的なパターンを示すものである。
【００２３】
波状路、コブ状路、良路および簡易舗装路の全てについて、バネ上共振周波数領域の振動の実効値が最も大きく、それに次いでバネ下共振周波数領域の振動の実効値が大きく、中間周波数領域の振動の実効値が最も小さくなっているが、その比率は路面の種類によって異なっている。ここで注目すべきなのは、バネ上共振周波数領域の振動の実効値および中間周波数領域の振動の実効値の比率であり、その比率が路面の種類により特徴的に異なっていることである。
【００２４】
即ち、（バネ上共振周波数領域の振動の実効値）／（中間周波数領域の振動の実効値）で表される比Ｒが波状路では約６．０であり、コブ状路では約２．１であり、簡易舗装路では約１．５であり、良路では約１．０である。従って、前記比Ｒに第１〜第３の閾値を設け、比Ｒが第１閾値以上のときは波状路、第１閾値未満第２閾値以上のときはコブ状路、第２閾値未満第３閾値以上のときは簡易舗装路、第３閾値未満のときは良路と判定することができる。
【００２５】
尚、バネ下共振周波数領域の振動の実効値は、簡易舗装路→コブ状路→波状路→良路の順で減少する特性を有することから、バネ下共振周波数領域の振動の実効値を併せて考慮すれば路面の判定精度を更に高めることができる。
【００２６】
図７から明らかなように、ダンパー１４のゲイン（減衰力）を増加させると、０．７Ｈｚ〜２．０Ｈｚのバネ上共振周波数領域および３．０Ｈｚ〜８．０Ｈｚの中間周波数領域での上下加速度の絶対値が減少して制振効果が高くなるが、逆に１０Ｈｚ〜２０Ｈｚのバネ下共振周波数領域での上下加速度の絶対値が増加して制振効果が低くなってしまう。
【００２７】
そこで、バネ上共振周波数領域の振動が最も大きくなる波状路が判定されたとき（図６参照）、電子制御ユニットＵからの指令でダンパー１４の減衰力を増加させることによりバネ上共振周波数領域の振動を効果的に抑制して乗り心地を高めることができる。またバネ下共振周波数領域の振動が大きくなる簡易舗装路やコブ状路が判定されたとき（図６参照）、電子制御ユニットＵからの指令でダンパー１４の減衰力を減少させることによりバネ下共振周波数領域の振動を効果的に抑制して乗り心地を高めることができる。
【００２８】
このように、路面の判定を的確に行い、判定した路面の状態に応じてダンパー１４の減衰力を制御することにより、性質の異なる複数の路面における乗り心地を両立させることができる。
【００２９】
以上、本発明の実施例を説明したが、本発明はその要旨を逸脱しない範囲で種々の設計変更を行うことが可能である。
【００３０】
例えば、実施例では波状路、コブ状路、良路および簡易舗装路の４種類の路面状態を例示したが、路面状態の種類はそれらに限定されるものではない。
【００３１】
また実施例では磁気粘性流体を使用したダンパー１４を備えたサスペンション装置Ｓについて説明したが、本発明は磁気粘性流体でない一般の粘性流体を使用したダンパーを備えたサスペンション装置に対しても適用することができる。
【図面の簡単な説明】
【００３２】
【図１】車両のサスペンション装置の正面図
【図２】可変減衰力ダンパーの拡大断面図
【図３】バネ上上下加速度からバネ上共振周波数領域、中間周波数領域およびバネ下共振周波数領域の振動の実効値を求める手法を説明する図
【図４】簡易舗装路の各周波数領域での振動の実効値を示すグラフ
【図５】良路の各周波数領域での振動の実効値を示すグラフ
【図６】波状路、コブ状路、良路および簡易舗装路の各周波数領域での振動の実効値を示すグラフ
【図７】各周波数領域でのダンパーのゲインの変化に対する上下加速度の変化を示すグラフ
【符号の説明】
【００３３】
１４        ダンパー
Ｓ          サスペンション装置
Ｓａ        バネ上上下加速度センサ
Ｕ          電子制御ユニット
【図１】
2006082755.tif 000003
【図２】
2006082755.tif 000004
【図３】
2006082755.tif 000005
【図４】
2006082755.tif 000006
【図５】
2006082755.tif 000007
【図６】
2006082755.tif 000008
【図７】
2006082755.tif 000009